(57)【要約】【課題】本発明は、不良ＩＣシートを印字前に検出し、不良ＩＣシート自体を切断することにより、操作者の作業効率を向上させるプリンタを得ることにある。【解決手段】ＩＣとアンテナを有する非接触ＩＣシート１に電気的な情報の読出しあるいは書込みを行う非接触ＩＣリーダ／ライタ１３と、非接触ＩＣシート１に印字を行う印字手段１４と、非接触ＩＣシートを切断する切断手段１５を有し、非接触ＩＣリーダ／ライタ１３で電気的な情報の読出しあるいは書込み不可の不良ＩＣシートを前記切断手段にて切断するプリンタを構成している。【選択図】　　　図２
2004118625.tif 000002
【特許請求の範囲】
【請求項１】
ＩＣとアンテナを有する非接触ＩＣシートに電気的な情報の読出しあるいは書込みを行う非接触ＩＣリーダ／ライタと、前記非接触ＩＣシートに印字を行う印字手段と、切断手段とを有し、
前記切断手段は、前記非接触ＩＣリーダ／ライタにて電気的な情報の読出しあるいは書込みが不可と判断された不良ＩＣシート自体を切断することを特徴とするプリンタ。
【請求項２】
ＩＣとアンテナを有する非接触ＩＣシートに電気的な情報の読出しあるいは書込みを行う非接触ＩＣリーダ／ライタと、前記非接触ＩＣシートに印字を行う印字手段と、切断手段と、前記切断手段下流側に仕分け手段とを有し、
前記非接触ＩＣリーダ／ライタにて電気的な情報の読出しあるいは書込みが不可と判断された不良ＩＣシート自体を前記切断手段にて切断し、前記切断手段下流側にて前記仕分け手段は前記非接触ＩＣシートから前記不良ＩＣシートを除外することを特徴とするプリンタ。
【請求項３】
前記仕分け手段は、第１のローラ対と第２のローラ対が搬送方向に所定の間隔を設けて配置され、
前記切断手段は、前記不良ＩＣシート自体を前記第１のローラ対と前記第２のローラ対の所定の間隔より短く切断することを特徴とする請求項２に記載のプリンタ。
【請求項４】
前記切断手段は、前記ＩＣを避けて前記アンテナを切断することを特徴とする請求項１乃至３のいずれか一項に記載のプリンタ。
【請求項５】
前記印字手段は、前記非接触ＩＣリーダ／ライタにて電気的な情報の読出しあるいは書込みが不可の前記非接触ＩＣシートに対し印字を行わないことを特徴とする請求項１乃至４のいずれか一項に記載のプリンタ。
【発明の詳細な説明】
【０００１】
【発明の属する技術分野】
本発明はプリンタに関し、特に非接触で情報の読出しあるいは書込み可能なＩＣを内蔵した非接触ＩＣシートに、電気的な情報の書込みを行うと共に、シート表面に印字を行うプリンタに関する。
【０００２】
【従来の技術】
一般的に、非接触で情報の読出しあるいは書込みが可能なＩＣチップ及び外部装置との交信を行うアンテナを内蔵し、電波あるいは電磁波等の無線通信で情報の非接触交信が可能な非接触ＩＣシートに対して、印字を行うプリンタが知られている。これら非接触ＩＣシートは電気的な情報の読出しあるいは書込みを行い、書込まれた情報をプリンタに内蔵される専用の通信アンテナ（以下、非接触ＩＣリーダ／ライタという）を用いて読み出す為、人間が視覚で情報を得ることが出来ないので、非接触ＩＣシート表面に情報を印字する手段が提供されている。しかし、これら非接触ＩＣシートには、内蔵するＩＣチップが製造時あるいは使用する以前に静電気等が原因で損傷し、情報の交信不可なものが時折存在する。
【０００３】
このような情報の交信不可な非接触ＩＣシート（以下、不良ＩＣシートという）が、非接触ＩＣリーダ／ライタを備えたプリンタにおいて検出されたとき、警報によってエラーを通知して何も印字しない方法、あるいは図６に示すように、不良ＩＣシート８ａ、８ｂ表面にエラーの旨（エラー印字９ａ、９ｂ）を印字する方法、または何も印字を施さない方法が知られており、操作者はこれらの方法から判断し、不良ＩＣシートを選別していた。（例えば、特許文献１参照。）
【０００４】
【特許文献１】
特開２００１−９６８１４号公報。
【０００５】
【発明が解決しようとする課題】
しかし、警報によるエラー通知から不良ＩＣシートを選別する場合、不良ＩＣシートが検出されるとエラー通知によりその都度プリンタが停止してしまう問題があった。
また、不良ＩＣシートの表面にエラー印字するプリンタの場合、不良ＩＣシートを検出してもプリンタを停止せずに連続して印字できるが、印字された多量の非接触ＩＣシートから良品、不良品を選別する際に一枚ずつシート表面を確認する必要がある為、作業効率が低下するという問題があった。
また、印字された多量の非接触ＩＣシート全ての表面を確認する為には、非接触ＩＣシートを一面に広げる必要があり、広げることにより連番印字された非接触ＩＣシートの並び順が変更されてしまう問題があった。
さらに、不良ＩＣシートに印字せず、良品に通常印字を施す場合においては、何も印字が施されていない不良ＩＣシートが未処理の非接触ＩＣシートに紛れてしまった場合、全く見分けが付かない問題があった。
【０００６】
本発明は以上のような従来の問題点に鑑み、不良ＩＣシートを検出しても、プリンタを停止せずに連続印字でき、さらにシート表面を確認することなく非接触ＩＣシートと不良ＩＣシートを容易に選別できるプリンタを提供することを目的としている。
また、上記プリンタにおいて、誤ってＩＣを切断することによる、切断手段の故障の原因を回避することを目的とする。
さらに、非接触ＩＣシートから不良ＩＣシートを自動で除外するプリンタを提供することを目的としている。
【０００７】
【課題を解決するための手段】
上記目的を達成するために、請求項１に記載のプリンタは　ＩＣとアンテナを有する非接触ＩＣシートに電気的な情報の読出しあるいは書込みを行う非接触ＩＣリーダ／ライタと、前記非接触ＩＣシートに印字を行う印字手段と、切断手段を有し、前記切断手段は前記非接触ＩＣリーダ／ライタにて電気的な情報の読出しあるいは書込みが不可と判断された不良ＩＣシート自体を切断することを特徴とする
【０００８】
請求項２に記載のプリンタは、ＩＣとアンテナを有する非接触ＩＣシートに電気的な情報の読出しあるいは書込みを行う非接触ＩＣリーダ／ライタと、前記非接触ＩＣシートに印字を行う印字手段と、切断手段と、仕分け手段を有し、前記非接触ＩＣリーダ／ライタにて電気的な情報の読出しあるいは書込みが不可と判断された不良ＩＣシート自体を前記切断手段にて切断し、この切断手段下流側にて前記仕分け手段は前記非接触ＩＣシートから前記不良ＩＣシートを除外することを特徴とする。
【０００９】
請求項３に記載のプリンタは、請求項２に記載のプリンタにおける前記切断手段と前記仕分け手段において、前記仕分け手段は第１のローラ対と第２のローラ対が搬送方向に所定の間隔を設けて配置され、前記切断手段は、前記不良ＩＣシート自体を前記第１のローラ対と前記第２のローラ対の所定の間隔より短く切断することを特徴とする。
【００１０】
請求項４に記載のプリンタは、請求項１乃至３のいずれか一項に記載のプリンタにおける前記切断手段は、前記ＩＣを避けて前記アンテナを切断することを特徴とする。
【００１１】
請求項５に記載のプリンタは、請求項１乃至４のいずれか一項に記載のプリンタにおける前記印字手段は、前記非接触ＩＣリーダ／ライタにて電気的な情報の読出しあるいは書込みが不可の前記非接触ＩＣシートに対し印字を行わないことを特徴とする。
【００１２】
【発明の実施の形態】
以下、図面に示す実施の形態により、本発明を詳細に説明する。
【００１３】
図１乃至図４に示す本発明第１の実施の形態において、図１は連続紙７の平面図である。図１において、連続紙７は、複数の非接触ＩＣシート１が裏面に粘着層２を有し、搬送方向に各々所定の間隔を空けて隣接し、連続して台紙３表面上に剥離可能に仮着され構成される。
非接触ＩＣシート１は、前記粘着層２にＩＣ４とアンテナ５を貼着して構成される。
また、台紙３裏面には、表面に仮着された非接触ＩＣシート１に対応して検出マーク６が付されている。
【００１４】
図２は、本発明第１の実施の形態におけるプリンタ１００の概略構造を示す側面図である。図２において、プリンタ１００は主として供給軸１１と、センサ１２、非接触ＩＣリーダ／ライタ１３、印字手段１４、切断手段１５、各部を制御する制御手段１０とを備えている。
供給軸１１は、ロール状に巻回された連続紙７を回転自在に支持する。
センサ１２は、発光素子１６及び受光素子１７で形成され、前記連続紙７の台紙３裏面に所定の間隔で付された検出マーク６を検出する。
非接触ＩＣリーダ／ライタ１３はアンテナ１８を備え、アンテナ１８と非接触ＩＣシート１のアンテナ５の間で、電波あるいは電磁波等を送信し、ＩＣ４はこれを電源として、ＩＣ４内部から情報の読出し、あるいはＩＣ４内部への情報の書込みが出来るように構成されている。
印字手段１４は印字ヘッド１９とプラテンローラ２０を備え、プラテンローラ２０が後述するステッピングモータ２２により回転駆動し連続紙７を印字ヘッド１９と挟持して搬送し、搬送された連続紙７の台紙３表面に仮着されてなる非接触ＩＣシート１に、印字ヘッド１９により所定の情報をセンサ１２による検出結果に基づいて、所定の位置に印字する。
切断手段１５はカッタ２１を備え、プラテンローラ２０により搬送された連続紙７をセンサ１２による検出結果に基づいて、制御手段１０による制御のもと、非接触ＩＣシート１の場合は、連続紙７の台紙３表面に搬送方向に隣接して仮着されてなる非接触ＩＣシート１の間の台紙部分を切断し、不良ＩＣシート１ａの場合は、更に不良ＩＣシート１ａ自体を切断する。
【００１５】
図３は、本発明第１の実施の形態におけるプリンタ１００の制御手段１０の構成を示すブロック図である。図３において制御手段１０本体を構成するＣＰＵ３１は、バス４０を介してＲＯＭ３２、ＲＡＭ３３、モータ制御部３４、印字制御部３５、センサ制御部３６、カッタ制御部３７、リーダ／ライタ制御部３８と、外部インタフェースと３９、インタフェース４１が接続されている。
【００１６】
ＲＯＭ３２には、所定の制御プログラムが記憶されている。ＲＡＭ３３には各種データを一時的に記憶する。モータ制御部３４はステッピングモータ２２を駆動させて連続紙７を搬送させる。印字制御部３５は印字データに対応する制御信号を生成し、印字ヘッド１９に供給して印字動作させる。センサ制御部３６はＣＰＵ３１の制御の下、センサ１２の発光素子１６を制御し光を出射させるとともに、受光素子１７から出力される電気信号を受け取り、ＣＰＵ３１に供給する。リーダ／ライタ制御部３８は、アンテナ１８より非接触ＩＣシート１に内蔵されているアンテナ５を介して電波あるいは電磁波等をＩＣ４に供給し、これらを電源としてＩＣ４から情報の読出しあるいはＩＣ４への情報の書込みを制御する。カッタ制御部３７は、センサ１２によって検出された結果に基づいてカッタ２１を動作させて連続紙７を切断させる。外部インタフェース３９は、図示しない外部に接続された機器との間で各種データの送受信を行うことができるようになされている。さらに、各種データを入力する為の入力部４２と、入力部４２より入力されたデータや各種情報を表示する為の表示部４３とがインタフェース４１を介して接続されている。
【００１７】
次に、プリンタ１００が行う動作について図２乃至図４を参照して説明する。キーボード等の入力部４２からインタフェース４１を介して、もしくは図示しないパソコン等の外部機器から外部インタフェース３９を介して印字コマンド及び印字データが受信されると、ＲＡＭ３３内の描画バッファ（図示省略）に印字イメージが展開され、印字動作が開始される。
【００１８】
また操作者は、予めキーボード等の入力部４２、あるいは図示しないパソコン等の外部機器から、例えば予め非接触ＩＣシート１のＩＣ４の位置座標（非接触ＩＣシート搬送方向端部からの距離）を避けた位置を切断位置として入力しておき、不良ＩＣシート１ａ検出時に、ＩＣ４を切断しないようにする。よって、後述する不良ＩＣシート１ａ検出時の処理において、誤って硬いＩＣ４の位置で切断して、カッタ２１等の故障の原因となることを回避することができる。
【００１９】
プリンタ１００の印字動作が開始されると、モータ制御部３４はステッピングモータ２２を駆動し、センサ１２は連続紙７の台紙裏面に付された検出マーク６を検出する。センサ１２による検出結果に基づいて非接触ＩＣシート１位置を認識する。
モータ制御部３４は、センサ１２の検出結果に基づいてステッピングモータ２２を駆動し、非接触ＩＣシート１に内蔵するアンテナ５と非接触ＩＣリーダ／ライタ１３のアンテナ１８とが交信可能となる位置まで連続紙７を搬送する。
【００２０】
非接触ＩＣリーダ／ライタ１３は、アンテナ１８と非接触ＩＣシート１に内蔵するアンテナ５とを介して、電波あるいは電磁波等を送信し、ＩＣ４はこれを電源として、ＩＣ４内部へ情報の書込みを行う。
非接触ＩＣシート１に内蔵するＩＣ４への電気的情報の書込み終了後、再度アンテナ１８と非接触ＩＣシート１に内蔵するアンテナ５を介して、書込んだデータの読出しを行ない、書込みの成否の判別を行う。
【００２１】
正常に電気的情報が書込まれたと判断された場合、再度ステッピングモータ２２を駆動して、連続紙７を搬送し、印字手段において、印字制御部３５は印字ヘッド１９に通電して非接触ＩＣシート１表面に所定の印字処理を施し、カッタ制御部３７はカッタ２１を駆動し、連続紙７の台紙３表面に搬送方向に隣接して仮着されてなる非接触ＩＣシート１の間の台紙部分を切断し、後続の連続紙７と切り離す。
【００２２】
電気的情報の書込み失敗、すなわち不良ＩＣシート１ａと判断された場合、ステッピングモータ２２を駆動し、連続紙７を搬送して、不良ＩＣシート１ａが印字手段１４を通過する際において、印字制御部３５はＣＰＵ３１制御のもと、印字を行わないように制御する。
続いて、不良ＩＣシート１ａが切断手段１５へ搬送されると、カッタ制御部３７は、操作者により予め指定された切断位置で不良ＩＣシート１ａ自体を切断するように制御し、図４に示すように不良ＩＣシート１ａを不良ＩＣシート片１ｂ、１ｃに分断し、さらに不良ＩＣシート片１ｃの上流側端部と隣接する非接触ＩＣシート１との間の台紙部分を切断して後続の連続紙７と切り離す。
【００２３】
切断された不良ＩＣシート片１ｂ、１ｃは、非接触ＩＣシート１と同様にプリンタ１００外部へ排出され、例えばスタッカ等を用いて、非接触ＩＣシート１と共に順に上方に積層する。
【００２４】
図４は、積層された非接触ＩＣシート１及び不良ＩＣシート片１ｂ、１ｃを上下方向に分離した説明図である。図４からも明らかなように、非接触ＩＣシート１と不良ＩＣシート片１ｂ、１ｃは異なる大きさなので、操作者はこの異なる大きさから判断して正常に処理された非接触ＩＣシート１と切断された不良ＩＣシート片１ｂ、１ｃを選別できる。
【００２５】
以上のように、本発明第１の実施の形態によれば、電気的な読出しあるいは書込みが不可となった不良ＩＣシート１ａを切断手段１５にて不良ＩＣシート片１ｂ、１ｃに分断するよう構成しているので、不良ＩＣシート１ａを検出したときでも、プリンタ１００を止めずにシートの発行が可能となる。
さらに、単体毎に各々切り離された非接触ＩＣシート１と不良ＩＣシート１ａを異なる大きさにできるので、全てのシート表面を見なくても非接触ＩＣシートの良・不良判定が可能となると共に、エラー印字を行わずに済む為、無駄なインクを使用することなく非接触ＩＣシートの良・不良判定が可能となる。
例えば、連番印字等、順番の入替え不可の場合も、全てのシート表面を確認する必要なく、積層された複数のシートの側面から、シート長の短いものを抜き取るだけで選別でき、操作者の作業効率を大幅に向上させる効果を得る。
また、ＩＣを避けて不良ＩＣシートのアンテナを切断するよう構成したので、切断手段の故障の原因となることを回避出来る。
【００２６】
次に、図５に示す本発明第２の実施の形態について説明する。なお、本発明第２の実施の形態の説明に当って、前記本発明第１の実施の形態と同一構成部分には同一符号を付して重複する説明を省略する。
【００２７】
図５に示す本発明第２の実施の形態において、前記第１の実施の形態と主に異なる構成として、プリンタ２００は切断手段１５の搬送方向下流側に、第１のローラ対２４ａ及び第２のローラ対２４ｂが搬送方向に所定の間隔を空けて配置される仕分け手段２３と、その空いた位置に廃棄口２５を有する。そして、この第１のローラ対２４ａと第２のローラ対２４ｂの間隔は、非接触ＩＣシート１単体の搬送方向シート長より狭く構成する。
【００２８】
次に、プリンタ２００が行う動作について図５を参照して説明する。
切断手段１５の搬送方向下流側に設けられた仕分け手段２３において、非接触ＩＣリーダ／ライタ１３で正常に電気的情報が書込まれたと判断された非接触ＩＣシート１の場合、非接触ＩＣシート１単体の搬送方向シート長は、第１のローラ対２４ａと第２のローラ対２４ｂの所定の間隔より長い為、第１のローラ対２４ａで挟持搬送後、第２のローラ対２４ｂで挟持されプリンタ２００外部へ排出される。
しかし、非接触ＩＣリーダ／ライタ１３で書込み失敗と判断された不良ＩＣシート１ａの場合、不良ＩＣシート１ａ自体は切断手段１５にて分断される。この時、切断手段１５は、不良ＩＣシート片１ｂ、１ｃの搬送方向シート長が、第１のローラ対２４ａと第２のローラ対２４ｂの所定の間隔より短くなるように不良ＩＣシート１ａを切断する。
よって、分断された不良ＩＣシート片１ｂ、１ｃは、第１のローラ対２４ａで挟持搬送後、第２のローラ対２４ｂに届かない為、プリンタ２００外部へ搬送されず廃棄口２５に落下する。
【００２９】
この様に構成したプリンタにしても前記本発明の第１の実施の形態と同様な作用効果が得られる。さらに、非接触ＩＣシート１と、不良ＩＣシート片１ｂ、１ｃの仕分けを結果的にプリンタ２００が自動で行うことができ、新たな作用効果が得られる。
【００３０】
なお、本発明の実施の形態において、印字手段１４は、インクジェット方式、感熱方式、熱転写方式等が採用可能であり、特に限定されされない。
さらに、非接触ＩＣシート１が連続して仮着された連続紙としたが、これに限るものではなく、予め各非接触ＩＣシート１毎に切断された単シートとしても良い。
また、本発明第２の実施の形態において、不良ＩＣシート１ａの切断回数は２以上の任意に設定できるものとし、３分割、４分割としても良く、仕分け手段３４において第１のローラ対２４ａと第２のローラ対２４ｂの所定の間隔より不良ＩＣシート片１ｂ、１ｃの搬送方向シート長が短くなれば良い。
【００３１】
【発明の効果】
以上の説明から明らかなように、本発明にあっては次に列挙する効果が得られる。
非接触ＩＣリーダ／ライタを備えたプリンタにおいて、非接触ＩＣリーダ／ライタが、非接触ＩＣシートに内蔵するＩＣに電気的にデータの書込みを行い、データ書込み失敗した場合、その不良ＩＣシートを切断手段にて切断するよう構成しているので、不良ＩＣシートを検出してもプリンタを止めずに印字の継続が図れた上で、非接触ＩＣシートの良・不良判定が可能となる。
良品と不良品を異なる大きさにすることで、全てのシート表面を見なくても非接触ＩＣシートの良・不良判定が可能となると共に、エラー印字を行わずに済む為、無駄なインクを使用することなく非接触ＩＣシートの良・不良判定が可能となる。
非接触ＩＣシートのＩＣを避けてアンテナを切断するよう構成したので、カッタ等の故障の原因となることを回避することができる。
切断手段の搬送方向下流側に、第１のローラ対及び第２のローラ対が所定の間隔を空けて構成される仕分け手段３４を設け、第１の排出ローラと第２の排出ローラの間隔は、非接触ＩＣシート単体の搬送方向シート長より狭く構成し、切断手段にて不良ＩＣシートを所定の間隔より短く切断する構成としたので、不良ＩＣシート片のみ落下し、正常に電気的情報が書込まれた非接触ＩＣシートのみ排出される為、非接触ＩＣシートと不良ＩＣシートの仕分けをプリンタが自動で行える。
【図面の簡単な説明】
【図１】本発明の実施の形態に使用する連続紙の平面図。
【図２】本発明の第１の実施の形態のプリンタの概略側面図。
【図３】本発明の実施の形態のプリンタの制御部を示すブロック図。
【図４】本発明の実施の形態の不良ＩＣシート切断の説明図。
【図５】本発明の第２の実施の形態のプリンタの概略側面図。
【図６】従来の不良ＩＣシートの説明図。
【符号の説明】
１　非接触ＩＣシート
１ａ　不良ＩＣシート
１ｂ、１ｃ　不良ＩＣシート片
４　ＩＣ
５　アンテナ
８ａ、８ｂ　従来の不良ＩＣシート
９ａ、９ｂ　エラー印字
１２　センサ
１３　非接触ＩＣリーダ／ライタ
１４　印字手段
１５　切断手段
１８　アンテナ
２１　カッタ
２３　仕分け手段
２４ａ　第１のローラ対
２４ｂ　第２のローラ対
２５　廃棄口
１００、２００　プリンタ
【図１】
2004118625.tif 000003
【図２】
2004118625.tif 000004
【図３】
2004118625.tif 000005
【図４】
2004118625.tif 000006
【図５】
2004118625.tif 000007
【図６】
2004118625.tif 000008